(57)【要約】【課題】暗所においても設置位置が分かり易く且つ通電中か否かを判断することができる電力ケーブルを提供する。【解決手段】電力ケーブル１は、電線管１０の外周側に設けられ、ｐ型熱電素子２１とｎ型熱電素子２２とからなる一対の熱電素子２０と、電線管の外周側で、一対の熱電素子２０の下層に設けられた内周金属板３０と、電線管１０の外周側で、一対の熱電素子２０のうちｐ型熱電素子２２の上層に設けられると共に、隣接する一対の熱電素子２０のうちｎ型熱電素子２１の上層に設けられた外周金属板４０と、少なくとも一対の熱電素子２０を挟んだ閉回路を形成するようにいずれかの金属板３０，４０に接続された発光素子７０とを備えている。【選択図】  図１
2009218015.tif 000002
【特許請求の範囲】
【請求項１】
電線管の外周に沿って配置される、ｐ型熱電素子とｎ型熱電素子との対からなる複数対の熱電素子と、
前記電線管の外周側で、前記一対の熱電素子の下層に設けられた内周金属板と、
前記電線管の外周側で、前記一対の熱電素子のうち前記ｐ型熱電素子の上層に設けられると共に、隣接する前記一対の熱電素子のうちｎ型熱電素子の上層に設けられた外周金属板と、
少なくとも前記一対の熱電素子を挟んだ閉回路を形成するようにいずれかの前記内周金属板若しくは前記外周金属板に接続された発光素子と、
を備えることを特徴とする電力ケーブル。
【請求項２】
裏面に粘着層が形成され、表面に前記内周金属板が形成された第１粘着テープを備え、
前記第１粘着テープは、裏面の粘着層により電線管上に貼り付けられている
ことを特徴とする請求項１に記載の電力ケーブル。
【請求項３】
前記一対の熱電素子は、前記内周金属板上に接合されている
ことを特徴とする請求項２に記載の電力ケーブル。
【請求項４】
表面に粘着層及び前記外周金属板が形成された第２粘着テープを備え、
前記第２粘着テープは、前記外周金属板の一端側が前記ｐ型熱電素子上に重なるように、且つ前記外周金属板の他端側が前記ｎ型熱電素子上に重なるようにして貼り付けられている
ことを特徴とする請求項３に記載の電力ケーブル。
【請求項５】
前記内周金属板は、前記第１粘着テープの長手方向と交差する方向に複数形成され、
前記外周金属板は、前記第２粘着テープの長手方向と交差する方向に複数形成され、
前記第１粘着テープは、前記電線管に螺旋状に巻き付けられ、
前記第２粘着テープは、螺旋状に巻き付けられた前記第１粘着テープ間の隙間を埋めるように、螺旋状に巻き付けられている
ことを特徴とする請求項４に記載の電力ケーブル。
【請求項６】
前記内周金属板及び前記外周金属板は、前記第１粘着テープ若しくは前記第２粘着テープの長手方向と直交する方向から所定角度傾いた方向に伸びるように形成されている
ことを特徴とする請求項５に記載の電力ケーブル。
【発明の詳細な説明】
【技術分野】
【０００１】
本発明は、電力ケーブルに関する。
【背景技術】
【０００２】
従来、環状熱電モジュールが知られている。この熱電モジュールは、ｐ型熱電素子とｎ型熱電素子とが交互に配置されると共に、各熱電素子の上下に電極が配置されており、ゼーベック効果により熱を電気に変換するものである。この構成により廃熱等を利用して電力を得ることができる（特許文献１参照）。
【特許文献１】特開２００６−２９４７３８号公報
【発明の開示】
【発明が解決しようとする課題】
【０００３】
ところで、従来の電力ケーブルには、暗所に設置するものもあり、設置位置が分かり難く、通電中であるか否かも判断することができない。
【０００４】
本発明はこのような従来の課題を解決するためになされたものであり、その目的とするところは、暗所においても設置位置が分かり易く且つ通電中か否かを判断することができる電力ケーブルを提供することにある。
【課題を解決するための手段】
【０００５】
本発明の特徴は、電力ケーブルであって、電線管の外周に沿って配置される、ｐ型熱電素子とｎ型熱電素子との対からなる複数対の熱電素子と、この電線管の外周側で、前記一対の熱電素子の下層に設けられた内周金属板と、前記電線管の外周側で、前記一対の熱電素子のうち前記ｐ型熱電素子の上層に設けられると共に、隣接する前記一対の熱電素子のうちｎ型熱電素子の上層に設けられた外周金属板と、少なくとも前記一対の熱電素子を挟んだ閉回路を形成するようにいずれかの金属板に接続された発光素子と、を備えることを要旨とする。
【０００６】
この電力ケーブルによれば、少なくとも一対の熱電素子を挟んだ閉回路を形成するようにいずれかの金属板に接続された発光素子を備えるため、通電中に発生する電力ケーブルからの熱により異なる導電型の熱電素子間に電圧が発生することにより発光素子が点灯することとなり、暗所においても設置位置が分かり易く且つ通電中か否かを判断することができる。
【０００７】
また、本発明の電力ケーブルにおいて、裏面に粘着層が形成され、表面に内周金属板が形成された第１粘着テープをさらに備え、第１粘着テープは、裏面の粘着層により電線管上に貼り付けられていることが好ましい。
【０００８】
この電力ケーブルによれば、内周金属板が形成された第１粘着テープが電線管上に貼り付けられているため、電線管に対して接着等により内周金属板を設ける必要が無く、内周金属板の取付作業の手間を軽減することができる。特に、既存の電線管を設計変更等する必要なく、内周金属板を取り付けることができ、既に設置されている電線管に対しても取付作業の手間を軽減することができる。
【０００９】
また、本発明の電力ケーブルにおいて、一対の熱電素子は、内周金属板上に積層されて設けられていることが好ましい。
【００１０】
この電力ケーブルによれば、一対の熱電素子は内周金属板上に積層されて設けられているため、第１粘着テープを電線管上に貼り付けるだけで、一対の熱電素子についても電線管と一体的に取り付けることができ、一対の熱電素子の取付作業の手間を軽減することができる。
【００１１】
また、本発明の電力ケーブルにおいて、表面に粘着層及び外周金属板が形成された第２粘着テープをさらに備え、第２粘着テープは、外周金属板の一端側がｐ型熱電素子上に重なるように、且つ、外周金属板の他端側がｎ型熱電素子上に重なるようにして貼り付けられていることが好ましい。
【００１２】
この電力ケーブルによれば、外周金属板が形成された第２粘着テープを備え、外周金属板の一端側がｐ型熱電素子上に重なるように、且つ、外周金属板の他端側がｎ型熱電素子上に重なるようにして貼り付けられている。このため、外周金属板についてもテープを貼り付けるだけでよく、取付作業の手間を軽減することができる。
【００１３】
また、本発明の電力ケーブルにおいて、内周金属板は、第１粘着テープの長手方向と交差する方向に複数形成され、外周金属板は、第２粘着テープの長手方向と交差する方向に複数形成され、第１粘着テープは、電線管に螺旋状に巻き付けられ、第２粘着テープは、螺旋状に巻き付けられた第１粘着テープ間の隙間を埋めるように、螺旋状に巻き付けられていることが好ましい。
【００１４】
この電力ケーブルによれば、第１粘着テープは電線管に螺旋状に巻き付けられ、第２粘着テープは螺旋状に巻き付けられた第１粘着テープ間の隙間を埋めるように、螺旋状に巻き付けられているため、内周金属板、一対の熱電素子、及び外周金属板を直列的に連続して複数接続でき、発光素子の点灯用として多くの電力を得ることができる。
【００１５】
また、本発明の電力ケーブルにおいて、内周金属板及び外周金属板は、各粘着テープの長手方向と直交する方向から所定角度傾いた方向に伸びて形成されていることが好ましい。
【００１６】
この電力ケーブルによれば、内周金属板及び外周金属板は、各粘着テープの長手方向と直交する方向から所定角度傾いた方向に伸びて形成されている。このため、各粘着テープを螺旋状に巻いても、内周金属板及び外周金属板を電線管の長手方向に配列させることができ、テープ巻き後に、発光素子と電気接続するにあたり接続箇所の判定作業が煩雑化してしまう事態を抑制することができる。
【発明の効果】
【００１７】
本発明の電力ケーブルによれば、暗所においても設置位置が分かり易く且つ通電中か否かを判断することができる。
【発明を実施するための最良の形態】
【００１８】
以下、本発明の実施の形態に係る電力ケーブルの詳細を図面に基づいて説明する。図１は、本実施の形態に係る電力ケーブルの概略構成を示す断面図である。図１に示すように、電力ケーブル１は、内部にケーブル（図示省略する）が配索された電線管１０と、その外周に設けられた複数の一対の熱電素子２０と、複数の内周金属板３０と、複数の外周金属板４０と、第１粘着テープ５０と、第２粘着テープ６０と、発光素子７０と、を備えて大略構成されている。
【００１９】
電線管１０は、内部が空洞となった筒体であって、筒の内部にケーブル（図示省略する）が配索されるものである。この電線管１０は、例えば、厚鋼電線管や薄鋼電線管などの金属電線管であってもよいし、合成樹脂製可撓電線管や金属製可撓電線管などの可撓管であってもよい。また、電線管１０は、硬質ビニル電線管やケーブル保護用合成樹脂被覆鋼管であってもよい。
【００２０】
複数対の熱電素子２０は、電線管１０の外周側に設けられるものであって、それぞれが電線管１０の長手方向に沿って設けられている。また、各一対の熱電素子２０は、ｐ型熱電素子２１とｎ型熱電素子２２とからなっている。ｐ型熱電素子２１とｎ型熱電素子２２とは、それぞれ電線管１０の長手方向に交互となるように配置されている。
【００２１】
複数の内周金属板３０は、電線管１０の外周側で、一対の熱電素子２０の下層（内側層）に設けられた金属体である。すなわち、複数の内周金属板３０は、電線管１０と一対の熱電素子２０との間に設けられることとなる。これら内周金属板３０は、それぞれが電線管１０の長手方向に沿って設けられている。また、内周金属板３０は、例えば銅やＳＵＳ３０４やアルミによって構成されている。
【００２２】
外周金属板４０は、電線管１０の外周側で、一対の熱電素子２０の上層に設けられた金属体である。具体的には、外周金属板４０は、一対の熱電素子２０のうちｐ型熱電素子２１の上層に設けられると共に、隣接する一対の熱電素子２０のうちｎ型熱電素子２２の上層に跨るように設けられている。このため、内周金属板３０と外周金属板４０とは、電線管１０の長手方向に互い違いとなって配列されることとなる。また、外周金属板４０についても、内周金属板３０と同様に、例えば銅やＳＵＳ３０４やアルミによって構成されている。
【００２３】
第１粘着テープ５０は、裏面（内側面）に粘着層（図示省略する）が形成され、表面に内周金属板３０が形成された長尺状のテープである。第１粘着テープ５０は、裏面の粘着層によって電線管１０に貼り付けられている。
【００２４】
図２は、図１に示した第１粘着テープ５０を示す斜視図である。図２に示すように、第１粘着テープ５０の表面には、内周金属板３０が第１粘着テープ５０の長手方向と交差する方向（具体的には長手方向と直交する方向Ｌから所定角度θだけ傾いた方向）に伸びて形成されている。このように、傾いているため、第１粘着テープ５０を電線管１０上に螺旋状に巻き付けることで、内周金属板３０を電線管１０の長手方向に沿うように配置させることができる。
【００２５】
また、図２に示すように、内周金属板３０上には、一対の熱電素子２０が積層（接合）されている。このため、第１粘着テープ５０を電線管１０に巻き付けるだけで、一対の熱電素子２０も電線管１０に一体的に取り付けることができる。さらに、各内周金属板３０は、互いに第１粘着テープ５０の長手方向に距離ｄだけ離れている。
【００２６】
図１に示すように、第１粘着テープ５０は、表面に図示しない粘着層及び外周金属板４０が形成された長尺状のテープである。第２粘着テープ６０は、表面の図示しない粘着層によって第１粘着テープ５０、内周金属板３０及び一対の熱電素子２０上に貼り付けられるている。具体的に、第２粘着テープ６０は、外周金属板４０の幅方向の一端側がｐ型熱電素子２１上に重なるように、且つ、外周金属板４０の幅方向の他端側がｎ型熱電素子２２上に重なるように貼り付けられている。
【００２７】
図３は、図１に示した第２粘着テープ６０を示す斜視図である。図３に示すように、第２粘着テープ６０の表面には、外周金属板４０が第２粘着テープ６０の長手方向と交差する方向（具体的には長手方向と直交する方向Ｌから所定角度θだけ傾いた方向）に伸びて形成されている。このように、傾いているため、第２粘着テープ６０を第１粘着テープ５０上に螺旋状に巻き付けることで、外周金属板４０を電線管１０の長手方向に沿うように配置させることができる。
【００２８】
図１に示すように、この第２粘着テープ６０は、螺旋状に巻き付けられた第１粘着テープ５０間の隙間ｓを埋めるように巻き付けられている。これにより、内周金属板３０、一対の熱電素子２０及び外周金属板４０を直列的に連続して複数接続することができる。加えて、図３に示すように、各外周金属板４０は、互いに第２粘着テープ６０の長手方向に距離ｄ’だけ離れている。この距離ｄ’は、上記内周金属板３０同士の距離ｄよりも大きく設定されている。これにより、外側に巻かれる第２粘着テープ６０の外周金属板４０は、内周側に巻かれる第１粘着テープ５０の一対の熱電素子２０に正確に重なるようになっている。
【００２９】
また、発光素子７０は、一対の熱電素子２０、内周金属板３０及び外周金属板４０を介して流れる電流による発光するものであって、例えば発光ダイオードにより構成されている。この発光素子７０は、例えば外周金属板４０に接続されて、少なくとも一対の熱電素子２０を挟んだ閉回路を形成するように接続されている。これにより、発光素子７０は、発光することとなる。なお、発光素子７０は、発光ダイオードに限らず、例えば電球、ＥＬ素子など電流により発光するものであれば、他のものであってもよい。また、発光素子７０は、外周金属板４０に限らず、少なくとも一対の熱電素子２０を挟んだ閉回路を形成するのであれば、内周金属板３０に接続されてもよいし、内周金属板３０及び外周金属板４０の双方に接続されてもよい。
【００３０】
図４は、本実施の形態に係る電力ケーブル１の発光原理を説明する概略図である。図４に示すように、ｐ型半導体１０１の一端側に第１金属板１０２が接続され、他端側に第２金属板１０３が接続されているとする。また、ｎ型半導体１０４の一端側に第３金属板１０５が接続され、他端側に第２金属板１０３が接続されているとする。そして、豆電球１０６が第１金属板１０２と第３金属板１０５に接続されているとする。このような接続関係において、第２金属板１０３側から熱を加える。
【００３１】
これにより、第２金属板１０３は高温側となり、第１金属板１０２及び第３金属板１０５が低温側となる。そして、ｐ型半導体１０１は高温側である第２金属板１０３側で正孔を発生し、ｎ型半導体１０４は高温側である第２金属板１０３側で電子を発生する。そして、発生した正孔と電子とは低温側に送られることとなる。これにより、電流は、ｎ型半導体１０４、第２金属板１０３、ｐ型半導体１０１、第１金属板１０２、豆電球１０６及び第３金属板１０５の順に移動することとなり、電球１０６は発光することとなる。
【００３２】
図５は、本実施の形態に係る電力ケーブル１が発光するときの様子を示す概略図である。電力ケーブル１で、通電中において電線管１０の内部で温度が高くなる傾向にある。このため、内周金属板３０側の温度が外周金属板４０側の温度よりも高くなり、図４に示した原理と同様にして、図５に示す破線矢印の向きに電流が流れることとなる。これにより、作業員等は、暗所においても設置位置が分かり易く且つ通電中か否かを判断することができる。
【００３３】
このようにして、本実施の形態に係る電力ケーブル１によれば、少なくとも一対の熱電素子２０を挟んだ閉回路を形成するようにいずれかの金属板３０，４０に接続された発光素子７０を備えるため、通電中に発生する電力ケーブル１からの熱により発光素子７０は点灯することとなり、暗所においても設置位置が分かり易く且つ通電中か否かを判断することができる。
【００３４】
また、内周金属板３０が形成された第１粘着テープ５０が電線管１０上に貼り付けられているため、電線管１０に対して接着等により内周金属板３０を設ける必要が無く、内周金属板３０の取付作業の手間を軽減することができる。特に、既存の電線管１０を設計変更等する必要なく、内周金属板３０を取り付けることができ、既に設置されている電線管１０に対しても取付作業の手間を軽減することができる。
【００３５】
また、一対の熱電素子２０は内周金属板３０上に積層されて設けられているため、第１粘着テープ５０を電線管１０上に貼り付けるだけで、一対の熱電素子２０についても電線管１０と一体的に取り付けることができ、一対の熱電素子２０の取付作業の手間を軽減することができる。
【００３６】
また、外周金属板４０が形成された第２粘着テープ６０を備え、外周金属板４０の一端側がｐ型熱電素子２１上に重なるように、且つ、外周金属板４０の他端側がｎ型熱電素子２２上に重なるようにして貼り付けられている。このため、外周金属板４０についてもテープを貼り付けるだけでよく、取付作業の手間を軽減することができる。
【００３７】
また、第１粘着テープ５０は電線管１０に螺旋状に巻き付けられ、第２粘着テープ６０は螺旋状に巻き付けられた第１粘着テープ５０間の隙間を埋めるように、螺旋状に巻き付けられているため、内周金属板３０、一対の熱電素子２０、及び外周金属板４０を直列的に連続して複数接続でき、発光素子７０の点灯用により多くの電力を得ることができる。
【００３８】
また、内周金属板３０及び外周金属板４０は、各粘着テープ５０，６０の長手方向と直交する方向から所定角度θ傾いた方向に伸びて形成されている。このため、各粘着テープ５０，６０を螺旋状に巻いても、内周金属板３０及び外周金属板４０を電線管１０の長手方向に配列させることができ、テープ巻き後に、発光素子７０と電気接続するにあたり接続箇所の判定作業が煩雑化してしまう事態を抑制することができる。
【００３９】
以上、実施の形態に基づき本発明を説明したが、本発明は上記実施の形態に限られるものではなく、本発明の趣旨を逸脱しない範囲で、変更を加えてもよい。例えば、本実施の形態に係る電力ケーブル１は、複数の一対の熱電素子２０を備えているが、これに限らず、１つの一対の熱電素子２０を備えるものであってもよい。
【図面の簡単な説明】
【００４０】
【図１】本実施の形態に係る電力ケーブルの概略構成を示す断面図である。
【図２】図１に示した第１粘着テープを示す斜視図である。
【図３】図１に示した第２粘着テープを示す斜視図である。
【図４】本実施の形態に係る電力ケーブルの発光原理を説明する概略図である。
【図５】本実施の形態に係る電力ケーブル１が発光するときの様子を示す概略図である。
【符号の説明】
【００４１】
１  電力ケーブル
１０  電線管
２０  熱電素子
２１  ｐ型熱電素子
２２  ｎ型熱電素子
３０  内周金属板
４０  外周金属板
５０  第１粘着テープ
６０  第２粘着テープ
７０  発光素子
【図１】
2009218015.tif 000003
【図２】
2009218015.tif 000004
【図３】
2009218015.tif 000005
【図４】
2009218015.tif 000006
【図５】
2009218015.tif 000007